(57)【要約】  エレベータの作業床装置において、作業床装置本体は、上部支持部材及び下部支持部材により、昇降路内に支持される。上部支持部材は、乗場出入口の上方で、複数の上部アンカーボルトにより昇降路壁に固定される。下部支持部材は、乗場出入口の下方で、複数の下部アンカーボルトにより、昇降路壁の乗場床と交差する壁面である前壁面に固定される。
2019207654.tif 000002
【特許請求の範囲】
【請求項１】
乗場出入口の上方で、複数の上部アンカーボルトにより昇降路壁に固定される上部支持部材、
前記乗場出入口の下方で、複数の下部アンカーボルトにより、前記昇降路壁の乗場床と交差する壁面である前壁面に固定される下部支持部材、及び
前記上部支持部材及び前記下部支持部材により、昇降路内に支持される作業床装置本体
を備えているエレベータの作業床装置。
【請求項２】
前記上部支持部材は、前記乗場出入口から前記昇降路を見て、前記昇降路壁の右側の壁面である右側壁面と、前記昇降路壁の左側の壁面である左側壁面とに固定される請求項１記載のエレベータの作業床装置。
【請求項３】
前記下部支持部材は、前記前壁面に固定される垂直部と、前記垂直部から前記乗場床上に突出した突出部とを有しており、
前記垂直部に対する前記突出部の上下方向位置が調整可能になっている請求項１又は請求項２に記載のエレベータの作業床装置。
【請求項４】
前記作業床装置本体は、
前記下部支持部材に連結され、かつ前記乗場床上に置かれるベース部と、
前記ベース部と前記上部支持部材との間に連結される縦柱部と、
前記昇降路内に水平に配置される足場部と、
前記縦柱部の前記足場部よりも下方の部分と前記足場部との間に連結されるタラップと、
前記縦柱部の前記足場部よりも上方の部分と前記足場部との間に連結される斜張部材と
を有している請求項１から請求項３までのいずれか１項に記載のエレベータの作業床装置。
【請求項５】
前記作業床装置本体は、前記足場部の前記タラップとの連結部よりも前記乗場出入口から離れた部分と、前記縦柱部との間に斜めに配置されている足場支持部材をさらに有しており、
前記足場支持部材は、前記縦柱部の前記足場部よりも下方の部分に連結されている請求項４記載のエレベータの作業床装置。
【請求項６】
前記作業床装置本体は、前記足場部の前記タラップとの連結部よりも前記乗場出入口から離れた部分と、前記縦柱部との間に斜めに配置されている足場支持部材をさらに有しており、
前記足場支持部材は、前記縦柱部の前記足場部よりも上方の部分に連結されている請求項４記載のエレベータの作業床装置。
【請求項７】
請求項１から請求項６までのいずれか１項に記載のエレベータの作業床装置の組立方法であって、
前記上部支持部材及び前記下部支持部材の前記昇降路壁への固定と、前記作業床装置本体の組立の少なくとも一部とを、かご上で行うエレベータの作業床装置の組立方法。
【発明の詳細な説明】
【技術分野】
【０００１】
この発明は、昇降路に設置されるエレベータの作業床装置、及びその組立方法に関するものである。
【背景技術】
【０００２】
従来のエレベータの作業床装置の構造としては、荷重の一部を乗場壁で支持する構造、及び荷重の一部を乗場床で支持する構造が知られている（例えば、特許文献１参照）。また、他の従来の作業床装置の構造として、乗場床と乗場出入口の上縁との間に支柱を固定し、乗場出入口に対向する昇降路の奥壁で荷重の一部を支持する構造も知られている（例えば、特許文献２参照）。
【先行技術文献】
【特許文献】
【０００３】
【特許文献１】特開２０１５−６９４４号公報
【特許文献２】特開平８−３０１５４９号公報
【発明の概要】
【発明が解決しようとする課題】
【０００４】
上記のような従来の作業床装置のうち、荷重の一部を乗場壁で支持する作業床装置は、乗場壁がボードで構成されている場合、及び乗場壁の表面が意匠面である場合に、乗場壁を損傷する恐れがあるため、適用することができない。【０００５】
また、荷重の一部を乗場床で支持する作業床装置は、乗場床がＡＬＣ（オートクレーブ養生した軽量気泡コンクリート）で構成されている場合、及び乗場床の表面が仕上げ面である場合に、乗場床を損傷する恐れがあるため、適用することができない。【０００６】
また、特許文献２の作業床装置も、乗場床と乗場出入口の上縁との間に支柱が固定されるため、乗場壁及び乗場床の材料によっては、適用することができない。【０００７】
この発明は、上記のような課題を解決するためになされたものであり、乗場壁及び乗場床の損傷を抑制することができるエレベータの作業床装置、及びその組立方法を得ることを目的とする。
【課題を解決するための手段】
【０００８】
この発明に係るエレベータの作業床装置は、乗場出入口の上方で、複数の上部アンカーボルトにより昇降路壁に固定される上部支持部材、乗場出入口の下方で、複数の下部アンカーボルトにより、昇降路壁の乗場床と交差する壁面である前壁面に固定される下部支持部材、及び上部支持部材及び下部支持部材により、昇降路内に支持される作業床装置本体を備えている。
【発明の効果】
【０００９】
この発明のエレベータの作業床装置は、上部支持部材及び下部支持部材が昇降路壁に固定されるので、乗場壁及び乗場床の損傷を抑制することができる
【図面の簡単な説明】
【００１０】
【図１】この発明の実施の形態１によるエレベータの作業床装置を示す側面図である。
【図２】図１の作業床装置を示す正面図である。
【図３】図１の作業床装置の組立途中の状態を示す側面図である。
【図４】この発明の実施の形態２によるエレベータの作業床装置を示す側面図である。
【図５】図４の作業床装置を示す正面図である。
【発明を実施するための形態】
【００１１】
以下、この発明を実施するための形態について、図面を参照して説明する。
実施の形態１．
図１は、この発明の実施の形態１によるエレベータの作業床装置を示す側面図である。図２は、図１の作業床装置を示す正面図である。なお、図１は、図２の右側面図である。また、図２は、図１の矢印ＩＩに沿って見た図である。
【００１２】
図において、昇降路１は、昇降路壁２により囲まれた空間である。複数階の乗場と昇降路１との間には、それぞれ乗場壁３が設けられている。各乗場の乗場壁３には、乗場出入口４が設けられている。乗場出入口４は、乗場と昇降路１内とを繋いでいる。なお、図２では、乗場壁３を省略している。
【００１３】
昇降路壁２は、奥壁面２ａ、前壁面２ｂ、右側壁面２ｃ、及び左側壁面２ｄを有している。奥壁面２ａは、乗場出入口４に対向する壁面である。前壁面２ｂは、奥壁面２ａに対向するとともに、乗場床５と交差する壁面である。
【００１４】
右側壁面２ｃは、乗場出入口４から昇降路１を見て右側の壁面である。左側壁面２ｄは、乗場出入口４から昇降路１を見て左側の壁面である。右側壁面２ｃ及び左側壁面２ｄは、互いに対向している。
【００１５】
実施の形態１の作業床装置は、最上階の乗場と昇降路１内とに渡って設置されている。また、作業床装置は、上部支持部材１１、下部支持部材１２、及び作業床装置本体１３を有している。
【００１６】
上部支持部材１１は、最上階の乗場出入口４の上方で昇降路１内に設置されている。即ち、上部支持部材１１は、昇降路１内の頂部に配置されている。また、上部支持部材１１は、乗場出入口４の幅方向に平行な棒状の部材である。
【００１７】
上部支持部材１１の長手方向の第１の端部は、複数の第１の上部アンカーボルト１４により右側壁面２ｃに固定されている。上部支持部材１１の長手方向の第２の端部は、複数の第２の上部アンカーボルト１５により左側壁面２ｄに固定されている。
【００１８】
下部支持部材１２は、最上階の乗場出入口４の下方で、前壁面２ｂに固定されている。また、下部支持部材１２は、複数の下部アンカーボルト１６により、前壁面２ｂに固定されている。
【００１９】
また、下部支持部材１２は、前壁面２ｂに固定された平板状の垂直部１２ａと、垂直部から乗場床５上に直角に突出した平板状の突出部１２ｂとを有している。垂直部１２ａに対する突出部１２ｂの上下方向位置は、調整可能になっている。
【００２０】
図１では、乗場床５と前壁面２ｂとの間の角部が、既設の敷居溝（図示せず）を取り除いた際にはつられている。これにより生じたはつり部５ａの深さに応じて、垂直部１２ａに対する突出部１２ｂの上下方向位置が調整されている。
【００２１】
作業床装置本体１３は、上部支持部材１１及び下部支持部材１２により、昇降路１内に支持されている。また、作業床装置本体１３は、ベース部２１、縦柱部２２、足場部２３、タラップ２４、一対の斜張部材２５、一対の足場支持部材２６、及び手摺部２７を有している。
【００２２】
ベース部２１は、突出部１２ｂに連結され、かつ乗場床５上に置かれている。
【００２３】
縦柱部２２は、ベース部２１と上部支持部材１１との間に連結されている。また、縦柱部２２は、一対の下部支柱３１と、一対の上部支柱３２と、一対のコ字形の接続部材３３とを有している。
【００２４】
下部支柱３１は、乗場出入口４の幅方向に互いに間隔をおいて、ベース部２１上に垂直に立てられている。また、各下部支柱３１の下端部は、ベース部２１に連結されている。
【００２５】
上部支柱３２は、乗場出入口４の幅方向に互いに間隔をおいて配置されている。また、各上部支柱３２の上端部は、上部支持部材１１に連結されている。
【００２６】
各接続部材３３は、対応する上部支柱３２の下端部に、溶接等により固定されている。各接続部材３３は、対応する下部支柱３１の上端部に、上下方向に互いに間隔をおいた２箇所で連結されている。また、各接続部材３３は、乗場出入口４を横切って配置されている。即ち、各接続部材３３は、乗場と昇降路１内とに跨がって配置されている。
【００２７】
足場部２３は、乗場床５よりも上方で、昇降路１内に水平に配置されている。また、足場部２３は、一対の水平梁３４、足場板３５、及び巾木３６を有している。
【００２８】
足場板３５は、一対の水平梁３４により支持されている。巾木３６は、足場板３５への乗降口部を除いて、足場板３５の周囲を囲んでいる。
【００２９】
タラップ２４は、縦柱部２２の足場部２３よりも下方の部分と、一対の水平梁３４との間に連結されている。また、タラップ２４の上端部は、一対の水平梁３４の乗場出入口４側の端部に連結されている。作業者は、タラップ２４を利用して、乗場床５上と足場板３５との間を移動する。
【００３０】
一対の斜張部材２５は、縦柱部２２の足場部２３よりも上方の部分と一対の水平梁３４との間に連結されている。この例では、各斜張部材２５の上端部は、対応する下部支柱３１の上端部に連結されている。また、各斜張部材２５の下端部は、対応する水平梁３４の乗場出入口４側の端部に連結されている。
【００３１】
一対の足場支持部材２６は、一対の水平梁３４のタラップ２４との連結部よりも乗場出入口４から離れた部分と、縦柱部２２との間に斜めに配置されている。また、一対の足場支持部材２６は、縦柱部２２の足場部２３よりも下方の部分に連結されている。
【００３２】
作業床装置本体１３を構成する部材のうち、一対の下部支柱３１、一対の上部支柱３２、一対の接続部材３３、一対の水平梁３４、タラップ２４、一対の斜張部材２５、及び一対の足場支持部材２６は、強度部材として機能している。これらの強度部材により形成されている複数の三角形構造によって、足場部２３に作用する荷重は、上部支持部材１１及び下部支持部材１２に分散されて支持される。
【００３３】
一対の足場支持部材２６の間には、一対の補強部材２８が設けられている。一対の補強部材２８は、互いに交差して配置されている。
【００３４】
手摺部２７は、足場部２３上に固定されている。また、手摺部２７は、足場部２３の上方の空間を全周で囲んでいる。但し、足場部２３上への乗降口部には、開閉可能なゲートが設けられている。
【００３５】
このようなエレベータの作業床装置では、上部支持部材１１及び下部支持部材１２が昇降路壁２に固定されているので、乗場壁３及び乗場床５の損傷を抑制することができる。
【００３６】
また、上部支持部材１１は、右側壁面２ｃ及び左側壁面２ｄに固定されているので、上部支持部材１１を昇降路１内に安定して固定することができる。また、上部支持部材１１を奥壁面２ａに固定する場合に比べて、かごの昇降領域の後方に釣合おもりが配置されているタイプのエレベータにも、容易に適用できる。
【００３７】
また、垂直部１２ａに対する突出部１２ｂの上下方向位置が調整可能になっているので、はつり部５ａの有無及びはつり部５ａの深さの違いに、現場で容易に対応することができる。
【００３８】
また、縦柱部２２と足場部２３との間に、タラップ２４及び斜張部材２５が連結されているので、足場部２３に作用する荷重を、上部支持部材１１及び下部支持部材１２で安定して支持することができる。
【００３９】
また、足場部２３と縦柱部２２との間に、足場支持部材２６が連結されているので、足場部２３に作用する荷重を、より安定して支持することができる。
【００４０】
次に、図３は、図１の作業床装置の組立途中の状態を示す側面図である。例えばエレベータのリニューアル工事を行う場合、作業者は、既設のかご６上に乗り込む。そして、上部支持部材１１及び下部支持部材１２の昇降路壁２への固定と、作業床装置本体１３の組立の少なくとも一部とを、かご６上から行う。
【００４１】
上部支持部材１１を昇降路壁２に固定する際には、第１の上部アンカーボルト１４を右側壁面２ｃに打ち込むとともに、第２の上部アンカーボルト１５を左側壁面２ｄに打ち込む。また、下部支持部材１２を昇降路壁２に固定する際には、下部アンカーボルト１６を前壁面２ｂに打ち込む。
【００４２】
作業床装置本体１３の組立作業では、かご６上の作業者は、作業床装置本体１３の部品を支えたり、連結したりする。
【００４３】
図３では省略しているが、昇降路１内のかご６と干渉しない位置には、かご６を昇降させる既設の巻上機が設置されている。この巻上機を駆動してかご６を昇降させることにより、昇降路１内の異なる上下方向位置での作業が可能となる。
【００４４】
作業床装置本体１３の組立作業は、最上階の乗場の作業者とかご６上の作業者とで行うのが効率的である。
【００４５】
作業床装置の組立が完了した後、作業床装置を利用して、既設のエレベータ機器の撤去、及び新設のエレベータ機器の据付を行う。撤去される既設のエレベータ機器としては、かご６、釣合おもり、巻上機、ロープ等が挙げられる。
【００４６】
作業床装置は、工事終了時に撤去される。作業床装置の撤去作業も、新設のかご上に作業者が乗り込んで行うことができる。
【００４７】
このような作業床装置の組立方法によれば、作業床装置の設置作業をより効率的に行うことができる。
【００４８】
実施の形態２．
次に、図４は、この発明の実施の形態２によるエレベータの作業床装置を示す側面図である。図５は、図４の作業床装置を示す正面図である。なお、図４は、図５の右側面図である。また、図５は、図４の矢印Ｖに沿って見た図である。
【００４９】
実施の形態２では、足場支持部材２６の縦柱部２２への連結部の位置が実施の形態１と異なっている。即ち、実施の形態２の足場支持部材２６は、縦柱部２２の足場部２３よりも上方の部分に連結されている。この例では、足場支持部材２６は、上部支柱３２に連結されている。他の構成及び組立方法は、実施の形態１と同様である。
【００５０】
このような作業床装置によっても、実施の形態１と同様の効果を得ることができる。
【００５１】
なお、実施の形態１、２では、上部支持部材１１を右側壁面２ｃ及び左側壁面２ｄに固定したが、上部支持部材１１は、昇降路壁２の他の壁面に固定してもよい。
【００５２】
また、作業床装置本体１３の具体的な構成は、実施の形態１、２に限定されるものではない。
【００５３】
また、この発明の作業床装置は、最上階以外にも設置することができる。
【００５４】
また、この発明の作業床装置は、リニューアル工事以外に使用してもよい。
【符号の説明】
【００５５】
１  昇降路、２  昇降路壁、２ｂ  前壁面、２ｃ  右側壁面、２ｄ  左側壁面、４  乗場出入口、５  乗場床、６  かご、１１  上部支持部材、１２  下部支持部材、１２ａ  垂直部、１２ｂ  突出部、１３  作業床装置本体、１４  第１の上部アンカーボルト、１５  第２の上部アンカーボルト、１６  下部アンカーボルト、２１  ベース部、２２  縦柱部、２３  足場部、２４  タラップ、２５  斜張部材、２６  足場支持部材。
【図１】
2019207654.tif 000003
【図２】
2019207654.tif 000004
【図３】
2019207654.tif 000005
【図４】
2019207654.tif 000006
【図５】
2019207654.tif 000007
【国際調査報告】
2019207654.tif 000008
2019207654.tif 000009
2019207654.tif 000010
2019207654.tif 000011